【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
印刷するために指定された画像データを印刷する用紙の各ページへの配置位置及び向きを、複数箇所の折り曲げに関する選択に基づき決定する画像データ配置部と、
印刷した用紙を折り曲げた際に印刷画像データが配置される各ページの状態を示すために前記複数箇所の折り曲げ位置のうちの少なくとも一カ所を折り曲げた状態を画面上に表示すると共に選択し得る山折り又は谷折りが行なわれた態様を表示する印刷設定項目結果プレビュー表示部と、
当該印刷設定項目結果プレビュー表示部に表示された印刷態様から折り曲げ位置を指定する折り曲げ位置指定部と、
前記印刷設定項目結果プレビュー表示部で表示させた選択の結果に基づいて、印刷コマンドを生成するプリンタコマンド変換部と
を備えて構成されたことを特徴とする画像処理装置。
【請求項２】
請求項１に記載の画像処理装置において、
前記印刷設定項目結果プレビュー表示部に三つ折り設定画面を適切な状態で初期表示させるＵＩ表示初期化部と、
前記印刷設定項目結果プレビュー表示部を通じてユーザーにより選択された項目を決定する三つ折り設定選択肢決定処理部と、
決定された項目により三つ折り印刷が指定されている場合に、用紙の表裏に画像データを配置するために必要な両面印刷動作の実行を指示するコマンドを自動的に設定し指定する印刷設定項目変更処理部と、
選択された配置方法や両面印刷設定を印刷時に反映させるための記憶領域と
をさらに備えたことを特徴とする画像処理装置。
【請求項３】
請求項２に記載の画像処理装置において、
ドライバ設定画面表示呼び出しに対して用紙サイズ情報を応答するプリンタドライバＵＩ表示部をさらに備え、
当該プリンタドライバＵＩ表示部が、
プリンタの取り扱い可能な用紙サイズと印刷可能領域の情報を少なくとも保持する各用紙サイズ情報テーブルと、
前記記憶領域から三つ折り印刷の有無を取得し、前記各用紙サイズ情報テーブルから検索して取得された用紙サイズ情報に基づいて三つ折り印刷に適した用紙サイズに変換する用紙サイズ情報算出処理部と、
当該用紙サイズ情報算出処理部での算出結果の用紙サイズ情報を上位装置に対して返送するＯＳ応答情報作成部と
を備えたことを特徴とする画像処理装置。
【請求項４】
請求項３に記載の画像処理装置において、
上位装置から指定された各ページ毎の印刷画像データを保持するＥＭＦファイルを読み込むプリントプロセッサをさらに備え、
当該プリントプロセッサが、
前記記憶領域に保持される三つ折り印刷の有無情報により、三つ折り印刷に適切なページ順番を決定するページ順番決定処理部と、
得られた結果のページ順番に従ってページ順を並べ替えるページデータ再構成処理部と、
描画命令をコマンドに変換するプリンタドライバレンダリング部を、再構成されたページデータに基づき呼び出すＥＭＦファイル再生部と
を備えたことを特徴とする画像処理装置。
【請求項５】
請求項４に記載の画像処理装置において、
前記プリンタドライバレンダリング部が、
前記ＥＭＦファイル再生部から呼び出されて三つ折り印刷の有無に応じて物理用紙内の適切な論理ページ位置に画像データを配置させるために変換された座標を決定する座標変換処理部と、
当該座標変換処理部で変換された結果によって物理用紙をはみ出る座標に位置するデータ、あるいは論理ページからはみ出して別の論理ページと重複する範囲に位置するデータに対して、はみ出し部分を削除する変換を行うデータクリップ処理部と、
座標変換及びクリップ処理がなされた最終的な印刷画像データをプリンタ印刷コマンドに変換するプリンタコマンド変換部と
を備えたことを特徴とする画像処理装置。
【請求項６】
請求項１乃至５のいずれか１項に記載の画像処理装置において、
とじ代量を設定するためにとじ代量と印刷結果の関係を画面上に表示するとじ代量プレビュー表示部をさらに備えたことを特徴とする画像処理装置。
【請求項７】
請求項６における画像処理装置において、
前記とじ代量プレビュー表示部からユーザーにより設定した設定値を補正量として決定するとじ代量調整値決定処理部と、決定された補正値をとじ代量設定値として保持する記憶領域とを備えたことを特徴とする画像処理装置。
【請求項８】
請求項７に記載の画像処理装置において、
前記用紙サイズ情報算出処理部が、前記記憶領域に保持されたとじ代量設定値に基づいてとじ代を加味して、三つ折り印刷に適した用紙サイズに変換することを特徴とする画像処理装置。
【請求項９】
請求項８に記載の画像処理装置において、
とじ代量設定値により座標に対する補正値を算出するとじ代補正量決定処理部をさらに備えたことを特徴とする画像処理装置。
【手続補正２】
【補正対象書類名】明細書
【補正対象項目名】０００７
【補正方法】変更
【補正の内容】
【０００７】
本発明の画像処理装置は、印刷するために指定された画像データを印刷する用紙の各ページへの配置位置及び向きを、複数箇所の折り曲げに関する選択に基づき決定する画像データ配置部と、印刷した用紙を折り曲げた際に印刷画像データが配置される各ページの状態を示すために複数箇所の折り曲げ位置のうちの少なくとも一カ所を折り曲げた状態を画面上に表示すると共に選択し得る山折り又は谷折りが行なわれた態様を表示する印刷設定項目結果プレビュー表示部と、当該印刷設定項目結果プレビュー表示部に表示された印刷態様から折り曲げ位置を指定する折り曲げ位置指定部と、印刷設定項目結果プレビュー表示部で表示させた選択の結果に基づいて、印刷コマンドを生成するプリンタコマンド変換部とを備えて構成されたことを特徴とする。
【手続補正３】
【補正対象書類名】明細書
【補正対象項目名】００２９
【補正方法】変更
【補正の内容】
【００２９】
プリンタドライバＵＩ表示部８が表示されている状態で（Ｓ１０１）、レイアウトタイプ指定がユーザー操作によりなされた後（Ｓ１０２）、レイアウトタイプが三つ折り印刷であるか否かの判定を行う（Ｓ１０３）。ここで、三つ折り印刷でないと判定した場合は、処理を終了する。三つ折り印刷であると判定した場合は、三つ折り印刷指定画面のＵＩ表示初期化部２１により初期状態の設定を行い（Ｓ１０４）、三つ折り設定選択表示部２２の印刷指定画面（図５参照）を表示する（Ｓ１０５）。選択肢からユーザー操作により折り曲げ位置指定が選択されれば（Ｓ１０６）、三つ折り設定選択肢決定処理部２３により選択肢決定処理が行われる（Ｓ１０７）。次いで、操作完了か否かが判定される（Ｓ１０８）。ユーザーの操作が完了していないと判定した場合は、Ｓ１０６に戻って上記処理を繰り返す。ユーザーの操作が完了したと判定した場合は、ドライバ設定項目変更処理部２５が、記憶領域２８の三つ折り設定選択肢番号２９及び三つ折り印刷の実現に併せて必要である両面印刷設定３０を変更するドライバ設定項目変更処理（Ｓ１０９）を実行して、設定を完了する。ここで変更設定された内容は、これ以後、アプリケーション２が生成した印刷画像データを処理する際に参照される。
【手続補正４】
【補正対象書類名】明細書
【補正対象項目名】００３１
【補正方法】変更
【補正の内容】
【００３１】
プリントプロセッサ１０がＥＭＦファイル７の処理を開始すると（Ｓ１１１）、まず、記憶領域の三つ折り設定選択肢番号２９を基に三つ折り印刷モードか否かを判定する（Ｓ１１２）。三つ折り印刷モードでない（Ｎｏ）の場合は、通常の印刷順番による通常再生処理を行う（Ｓ１１９）。三つ折り印刷モードである（Ｙｅｓ）場合は、三つ折り印刷でのページ順番による再生処理を行う（Ｓ１１３）。即ち、後述するページ順番テーブル作成処理により作成されたページ順番がテーブルに格納され、このテーブルに従い再生を行う。次いで、Ｎ番目のテーブルから再生ページ番号ｐを取得し（Ｓ１１４）、ｐ番目のページデータをスプールファイルから抽出した後（Ｓ１１５）、ｐ番目のページ単位のＥＭＦをＥＭＦファイル再生部４６にて処理する。ｐ番目の１ページ分再生を実施（Ｓ１１６）した後、ページカウンタを更新し（Ｓ１１７）、テーブル中の全ページ分の再生が完了したか否かを判定する（Ｓ１１８）。ここで、全ページ分の再生が完了していない（Ｎｏ）と判定した場合は、Ｓ１１４に戻って、引き続きテーブル中の次のページ番号の再生を行う（Ｓ１１４〜Ｓ１１７）。全ページ分の再生が完了した（Ｙｅｓ）と判定した場合は、処理を終了する（Ｓ１２０）。
【手続補正５】
【補正対象書類名】明細書
【補正対象項目名】００３４
【補正方法】変更
【補正の内容】
【００３４】
次いで、新論理ページ数の分だけのページ順番をループにて決定する。ページカウンタをｃとすると、ｃ／２＝０である否か、すなわち偶数ページであるか否かを判定する（Ｓ１２４）。ここで、偶数ページであると判定したときは、テーブルは（ｃ／３）＋１で与えられるページ番号となる（Ｓ１２５）。奇数ページであると判定したときは、ｃ−（ｃ／４）で与えられるページ番号となる（Ｓ１２６）。ページ番号はテーブル［ｃ］の配列に格納される。